(57)【要約】      （修正有）【課題】グリルユニットを簡便で効果的に冷却させて、調理物がグリルユニットで焼け焦げないようにしたグリル調理器とこのグリル調理器を備えた複合調理装置を提供する。【解決手段】グリル調理器１０ａはキャビネット１１の上部に設けられたグリルユニット３０と、キャビネット１１の外側に設けられた空冷ユニット４０と、キャビネット１１の上部に設けられた連結部材とを含む。グリルユニット１１は入口端及び出口端を有するグリル管３３を有し、空冷ユニット４０は送風ファン４１と吐出管４２とを含む。連結部材は上側に広がるテーパー孔を有し、グリル管３３の入口端はテーパー孔の上部に載せられて連結され、吐出管４２はテーパー孔の下端に差し込まれて連結される。このようなグリル調理器１０ａは複合調理装置７０の上部に形成された凹部７２に着脱可能に装着される。【選択図】図７
2005081138.tif 000002
【特許請求の範囲】
【請求項１】
熱を発生して調理物をグリル調理する加熱ユニットと、
前記加熱ユニット上に設けられ、上面に調理物が載せられるグリルユニットと、
前記グリルユニットを空冷させるため、前記グリルユニットに連結される空冷ユニットと、を含んでなることを特徴とするグリル調理器。
【請求項２】
前記グリルユニットはグリル管を含み、
前記空冷ユニットは、前記グリルユニットを冷却させるため、前記グリル管内に空気を吹き入れる送風ファンを含むことを特徴とする請求項１に記載のグリル調理器。
【請求項３】
前記グリル管の一端には入口部が設けられ、他端には出口部が設けられ、
前記空冷ユニットは前記送風ファンを前記グリル管の入口に連結するための吐出管をさらに含み、空気は前記吐出管内に空気を送風する前記送風ファンにより前記グリル管に流入し、前記グリル管の出口を介して前記グリル管の外部へ排出されることにより、前記グリル管の温度が所定温度以下に維持されることを特徴とする請求項２に記載のグリル調理器。
【請求項４】
前記グリル調理器は、上部が開放されて開口を形成するキャビネットをさらに含み、
前記キャビネットは前記加熱ユニットを含み、
前記グリルユニットは前記キャビネットの開口上に載せられ、
前記空冷ユニットは前記キャビネットの外側面に設けられることを特徴とする請求項３に記載のグリル調理器。
【請求項５】
前記吐出管を前記グリル管の入口に連結するため、前記キャビネットの上部に設けられる連結部材をさらに含むことを特徴とする請求項４に記載のグリル調理器。
【請求項６】
前記連結部材はその上部から下部側にテーパーをなすテーパー孔を含み、前記グリル管の入口部は前記テーパー孔の上部に連結され、前記吐出管は前記テーパー孔の下部に連結されるので、前記グリル管が前記連結部材により前記吐出管に着脱可能に連結されることを特徴とする請求項５に記載のグリル調理器。
【請求項７】
前記グリルユニットは、前記グリル管の縁部に沿って前記グリル管の上部に設けられるフレームをさらに含むことを特徴とする請求項６に記載のグリル調理器。
【請求項８】
前記グリル管の入口部は前記テーパー孔内に挿入されるように下向きに折り曲げられ、
前記グリル管の出口部は、前記フレームが前記グリル管の出口部を介して排出される空気により冷却されるように、前記フレームの所定位置に設けられることを特徴とする請求項７に記載のグリル調理器。
【請求項９】
前記グリル管は複数のグリル管を含み、前記連結部材は複数の連結部材を含み、前記吐出管は複数の吐出管を含み、前記複数の連結部材は前記複数の吐出管を前記複数のグリル管の入口部にそれぞれ連結することを特徴とする請求項６に記載のグリル調理器。
【請求項１０】
調理物のグリル調理中に前記グリルユニット上に載せられた調理物から落ちる油脂分及びソースを収集するため、前記グリルユニットの下側のキャビネット内に設けられる油脂収集ユニットをさらに含むことを特徴とする請求項４に記載のグリル調理器。
【請求項１１】
前記加熱ユニットは前記キャビネットの両側面にそれぞれ配置された複数の加熱ユニットを含み、
前記油脂収集ユニットは、前記加熱ユニットから発生する熱を前記グリルユニットで反射させるため、前記加熱ユニットと対面する複数の熱反射板を含むことを特徴とする請求項１０に記載のグリル調理器。
【請求項１２】
前記テーパー孔の上部は前記グリル管の外径より大きい直径を有し、前記テーパー孔の下部は前記グリル管の外径より小さい直径を有し、前記テーパー孔の下部の直径は前記吐出管の外径とほぼ同一であることを特徴とする請求項６に記載のグリル調理器。
【請求項１３】
上部に少なくとも一つの凹部を有するハウジングと、
前記少なくとも一つの凹部内に着脱可能に装着されるもので、熱を発生して調理物をグリル調理する加熱ユニット、前記加熱ユニット上に設けられ、上面に調理物が載せられるグリルユニット、及び前記グリルユニットを空冷させるため、前記グリルユニットに連結される空冷ユニットとを含むグリル調理器とを含んでなることを特徴とする複合調理装置。
【請求項１４】
前記グリルユニットは入口部及び出口部を有する少なくとも一つのグリル管を含み、
前記空冷ユニットは、空気を送風する送風ファンと、前記送風ファンを前記グリル管の入口部に連結する吐出管とを含み、空気は前記送風ファンと前記吐出管により前記グリル管に流入してから前記グリル管の出口を介して前記グリル管の外部へ排出されることを特徴とする請求項１３に記載の複合調理装置。
【請求項１５】
前記グリル調理器は、上部が開放されて開口を形成するキャビネットを含み、
前記キャビネットは前記加熱ユニットを有し、
前記グリルユニットは前記キャビネットの開口上に装着され、
前記空冷ユニットは前記キャビネットの外側下部に設けられることを特徴とする請求項１４に記載の複合調理装置。
【請求項１６】
前記吐出管を前記グリル管の入口部に連結するため、前記キャビネットの上部に設けられる連結部材をさらに含み、前記連結部材はその上部から下部側にテーパーをなすテーパー孔を有し、前記グリル管の入口部は前記テーパー孔の上部に連結され、前記吐出管は前記テーパー孔の下部に連結されるので、前記グリル管が前記連結部材により前記吐出管に着脱可能に連結されることを特徴とする請求項１５に記載の複合調理装置。
【請求項１７】
前記グリル調理器の空冷ユニットを収容するため、前記凹部の下面に収容部をさらに含み、前記グリル調理器が前記凹部に装着されたとき、前記グリルユニットを空冷させるため、前記収容部表面に通孔が形成され、前記空冷ユニットは前記収容部内に収容されることを特徴とする請求項１３に記載の複合調理装置。
【請求項１８】
前記空冷ユニットは前記キャビネットの下部から下向きに延長され、前記収容部に収容されることを特徴とする請求項１７に記載の複合調理装置。
【発明の詳細な説明】
【技術分野】
【０００１】
本発明はグリル調理器及びそのグリル調理器を備えた複合調理装置に係り、より詳しくはグリル部を簡便で効果的に冷却させて、調理物がグリルユニットで焼け焦げないようにしたグリル調理器及びそのグリル調理器を備えた複合調理装置に関するものである。
【背景技術】
【０００２】
一般に、人々は牛肉又は豚肉のような肉類、ソーセージのような肉加工食品は、焼き網に載せ、その表面を直接強く加熱して調理するグリル調理方式を最も好んで、他の調理方式よりも多く利用されていることが知られている。
【０００３】
このようなグリル調理のための調理装置は、調理物を直接加熱する加熱ユニットと、調理物が加熱ユニットに露出されるように載せられるグリルユニットとを備えて、加熱ユニットから発生する熱をグリルユニット上に載せられた調理物に直接伝達することにより飲食物を調理するものである。
【０００４】
一方、牛肉、豚肉、羊肉のような肉類をグリル調理するためには、通常適正な大きさに切った肉片の表面に各種の薬味からなるソースを添加して調理を行う。このようにソースが添加された肉片をグリル方式で調理すると、調理物自体から油脂分が発生し、この油脂分がソースと混合される。このように混合された油脂分とソースはグリルユニットに伝達される強い熱により焼けるので、調理物が部分的に焼けるとともに調理物がグリルユニットで焼け焦げる。
【０００５】
このように焼けた調理物を食べると、健康に良くない上、調理物をグリルユニットから取り除くことが難しくなるため、グリル調理の際、グリルユニットを頻繁に新たなものと交替しなければならない面倒さが伴い、調理後、グリルユニットを掃除することが非常に難しくなる。
【０００６】
また、調理物が焼けると、煙が発生するため、快適な調理環境を提供するためには、排気ファン、ダクトのごとく煙を排出させるための装置をさらに取り付けなければならない。
【０００７】
一方、調理物がグリルユニットで焼け焦げないようにするため、グリルユニットを水冷させる水冷方式を使用することができる。しかし、グリルユニットを水冷方式で冷却させるためには、循環ポンプ、水タンク、及び水タンクを冷却するための冷却装置のようないろいろな装置が必要となるため、グリル調理器が非常に複雑にかつ大きくなる。また、グリル調理後には油脂分及びソースで汚染された水を交換し、水冷のためのいろいろな装置をきれいに掃除しなければならない不便さがある。
【０００８】
また、前記のように複雑に構成されたグリル調理器は、いろいろな調理器が複合的に設けられた複合調理装置に取り付けるのに適さない。
【発明の開示】
【発明が解決しようとする課題】
【０００９】
したがって、本発明は前述した従来技術の問題点を解決するためになされたもので、その目的は、グリル調理の際、グリルユニットを簡便で効果的に冷却させることで、調理物がグリルユニットで焼け焦げないようにしたグリル調理器を提供することにある。
【００１０】
本発明の他の目的は、前記のようなグリル調理器を備えた複合調理装置を提供することにある。
【課題を解決するための手段】
【００１１】
このような目的を達成するため、本発明は、熱を発生して調理物をグリル調理する加熱ユニットと、前記加熱ユニット上に設けられ、上面に調理物が載せられるグリルユニットと、前記グリルユニットを空冷させるため、前記グリルユニットに連結される空冷ユニットと、を含んでなるグリル調理器を提供する。
【００１２】
前記グリルユニットはグリル管を含み、前記空冷ユニットは、前記グリルユニットを冷却させるため、前記グリル管内に空気を吹き入れる送風ファンを含むことができる。
【００１３】
前記グリル管の一端には入口部が設けられ、他端には出口部が設けられ、前記空冷ユニットは前記送風ファンを前記グリル管の入口に連結するための吐出管をさらに含み、空気は前記吐出管内に空気を送風する前記送風ファンにより前記グリル管に流入し、前記グリル管の出口を介して前記グリル管の外部へ排出されることにより、前記グリル管の温度が所定温度以下に維持される。
【００１４】
前記グリル調理器は、上部が開放されて開口を形成するキャビネットをさらに含み、前記キャビネットは前記加熱ユニットを含み、前記グリルユニットは前記キャビネットの開口上に載せられ、前記空冷ユニットは前記キャビネットの外側面に設けられる。
【００１５】
前記吐出管を前記グリル管の入口に連結するため、前記キャビネットの上部に設けられる連結部材をさらに含み得る。
【００１６】
前記連結部材はその上部から下部側にテーパーをなすテーパー孔を含み、前記グリル管の入口部は前記テーパー孔の上部に連結され、前記吐出管は前記テーパー孔の下部に連結されるので、前記グリル管が前記連結部材により前記吐出管に着脱可能に連結できる。
【００１７】
前記グリルユニットは、前記グリル管の縁部に沿って前記グリル管の上部に設けられるフレームをさらに含み得る。
【００１８】
前記グリル管の入口部は前記テーパー孔内に挿入されるように下向きに折り曲げられ、前記グリル管の出口部は、前記フレームが前記グリル管の出口部を介して排出される空気により冷却されるように、前記フレームの所定位置に設けられる。
【００１９】
前記グリル管は複数のグリル管を含み、前記連結部材は複数の連結部材を含み、前記吐出管は複数の吐出管を含み、前記複数の連結部材は前記複数の吐出管を前記複数のグリル管の入口部にそれぞれ連結する。
【００２０】
調理物のグリル調理中に前記グリルユニット上に載せられた調理物から落ちる油脂分及びソースを収集するため、前記グリルユニットの下側のキャビネット内に設けられる油脂収集ユニットをさらに含み得る。
【００２１】
前記加熱ユニットは前記キャビネットの両側面にそれぞれ配置された複数の加熱ユニットを含み、前記油脂収集ユニットは、前記加熱ユニットから発生する熱を前記グリルユニットで反射させるため、前記加熱ユニットと対面する複数の熱反射板を含み得る。
【００２２】
前記テーパー孔の上部は前記グリル管の外径より大きい直径を有し、前記テーパー孔の下部は前記グリル管の外径より小さい直径を有し、前記テーパー孔の下部の直径は前記吐出管の外径とほぼ同一である。
【００２３】
また、本発明は、上部に少なくとも一つの凹部を有するハウジングと、前記少なくとも一つの凹部内に着脱可能に装着されるもので、熱を発生して調理物をグリル調理する加熱ユニット、前記加熱ユニット上に設けられ、上面に調理物が載せられるグリルユニット、及び前記グリルユニットを空冷させるため、前記グリルユニットに連結される空冷ユニットとを含むグリル調理器とを含んでなる複合調理装置を提供する。
【００２４】
前記グリルユニットは入口部及び出口部を有する少なくとも一つのグリル管を含み、前記空冷ユニットは、空気を送風する送風ファンと、前記送風ファンを前記グリル管の入口部に連結する吐出管とを含み、空気は前記送風ファンと前記吐出管により前記グリル管に流入してから前記グリル管の出口を介して前記グリル管の外部へ排出される。
【００２５】
前記グリル調理器は、上部が開放されて開口を形成するキャビネットを含み、前記キャビネットは前記加熱ユニットを有し、前記グリルユニットは前記キャビネットの開口上に装着され、前記空冷ユニットは前記キャビネットの外側下部に設けられる。
【００２６】
前記吐出管を前記グリル管の入口部に連結するため、前記キャビネットの上部に設けられる連結部材をさらに含み、前記連結部材はその上部から下部側にテーパーをなすテーパー孔を有し、前記グリル管の入口部は前記テーパー孔の上部に連結され、前記吐出管は前記テーパー孔の下部に連結されるので、前記グリル管が前記連結部材により前記吐出管に着脱可能に連結される。
【００２７】
前記グリル調理器の空冷ユニットを収容するため、前記凹部の下面に収容部をさらに含み、前記グリル調理器が前記凹部に装着されたとき、前記グリルユニットを空冷させるため、前記収容部表面に通孔が形成され、前記空冷ユニットは前記収容部内に収容される。
【００２８】
前記空冷ユニットは前記キャビネットの下部から下向きに延長され、前記収容部に収容される。
【発明の効果】
【００２９】
以上のような本発明によると、グリル調理の際、簡単な構造である空冷ユニット及び連結部材により、グリルユニットを簡便で効果的に冷却させることができるので、調理物をグリルユニットから容易に取り外すことができ、調理物がグリルユニットで焼け焦げなくなる。したがって、調理物を美味しく健康によく調理することができるとともに、グリルユニットを容易に掃除することができるという効果がある。
【００３０】
また、本発明によるグリル調理器は、空冷ユニットが簡単な構造となり、キャビネットの外側下部に取り付けられるので、他の方式の調理器が設けられた複合調理装置の上部に簡便に装着して調理することができる効果がある。
【発明を実施するための最良の形態】
【００３１】
以下、添付図面に基づいて本発明の好ましい実施例を説明する。
【００３２】
図１は本発明の第１実施例によるグリル調理器の外観を示す斜視図、図２は図１の線II−IIについての断面図である。同図に示すように、本発明による調理器１０は、略箱状に形成され、上部に開口部１２が形成されたキャビネット１１と、該キャビネット１０の内部の両側面に設けられ、調理物を調理するための熱を発生する複数の加熱ユニット１３と、上面に調理物が載せられ、キャビネット１１の開口部１２上に載せられるグリルユニット３０と、キャビネット１１の内部においてグリルユニット３０の直下部に設けられ、調理物から落ちる油脂分を収集するとともに、加熱ユニット１３から発生する熱を調理物に向けて反射させる油脂収集ユニットとを含む。
【００３３】
油脂収集ユニット１４は、断面略Ｗ状に形成され、加熱ユニット１３に臨むように配置された熱反射板１５，１６を有する。したがって、調理中に落ちる油脂及びソースは熱反射板１５，１６間に収集される。前記油脂収集ユニット１４の先端及び後端には上下方向に展開及び折り畳まれる取っ手１７が設けられるので、使用後に取っ手１７を持って油脂収集ユニット１４をキャビネット１１から分離して掃除し得るようになる。
【００３４】
キャビネット１１の上面には、複数の加熱ユニット１３を前部と後部とに分離して加熱温度を別に調節するための一対のパワースイッチ１８が設けられるので、キャビネット１１の開口部１２に載せられるグリルユニット３０の調理面積を調節することができる。
【００３５】
加熱ユニット１３は熱線が封入されたセラミック材からなる電気ヒータである。したがって、熱線に電気が供給されると、高温の熱が発生するとともに、セラミックから遠赤外線が放射されて調理物をさらに美味しく調理することができる。しかし、前記のような加熱ユニット１３は他の方式の電気ヒータで具現化し、あるいはガスヒータ又は炭火ヒータなどで具現化することもできる。
【００３６】
したがって、グリルユニット３０上に調理物を載せ、加熱ユニット１３に電気を供給すると、加熱ユニット１３から発生する熱がグリルユニット３０に直接伝達されるか、又は油脂収集ユニット１４の熱反射板１５，１６により反射されてグリルユニット３０に伝達されることにより、グリルユニット３０上に載せられた調理物が調理され、調理物から落ちる油脂、ソースなどは油脂収集ユニット１４に集まる。
【００３７】
一方、グリルユニット３０が過熱すると、調理物が焼けグリルユニット３０に焦げ付いてなかなか取れなくなり、また調理物から発生する油脂分とソースも焼けてグリルユニット３０で焦げる。これにより、調理物が美味しく調理されなくなり、調理後にグリルユニット３０を掃除することが非常に難しくなる。
【００３８】
このような現象を防止するため、本発明の第１実施例によるグリル調理器１０は、調理の際、調理物が焼けてグリルユニット３０で焦げないようにするため、グリルユニット３０を空気で冷却させる構造を持っている。
【００３９】
すなわち、キャビネット１１の外側面には、グリルユニット３０の内部に空気が流動してグリルユニット３０を冷却させるための空冷ユニット４０が設けられ、キャビネット１１の上面には、グリルユニット３０を着脱可能に空冷ユニット４０に連結するための連結部材５０が設けられる。
【００４０】
空冷ユニット４０は、空気を強制送風させるための送風ファン４１と、送風ファン４１により圧縮された空気を、連結部材５０を介してグリルユニット３０に流動させるための吐出管４２とを含む。このような空冷ユニット４０はキャビネット１１の側面に結合されるブラケット４３に支持されてキャビネット１１に固定される。
【００４１】
グリルユニット３０は同一構造の第１グリル部３１と第２グリル部３２に分離されて、キャビネット１１の開口部１２上の前部と後部とに配置される。第１及び第２グリル部３１，３２はジグザグに連結されて配置されるグリル管３３と、このグリル管３３の上面で縁部に沿って結合されるフレーム３４とを含んでなる。
【００４２】
前記第１及び第２グリル部３１，３２のグリル管３３が連結部材５０を介して空冷ユニット４０の吐出管４２に連結されるので、グリル管３３内を空気が流動することにより第１及び第２グリル部３１，３２は冷却される。このような連結構造については図３及び図４を参照して説明する。
【００４３】
図３は空冷ユニットにより冷却されるグリルユニットの背面図、図４はグリルユニットを空冷ユニットに連結させる連結部材の構造を示すため、図２のＡ部を拡大して示す拡大断面図である。
【００４４】
図３に示すように、第１グリル部３１と第２グリル部３２とのグリル管３３はジグザグに延長される単一管からなり、先端と後端には、空気が流入する入口端３５と空気が排出される出口端３６がそれぞれ形成される。グリル管３３の上部に溶接又はその他の方式で結合されるフレーム３４は、第１グリル部３１と第２グリル部３２とが当接する部分を除き、第１グリル部３１と第２グリル部３２の縁部に沿って設けられるので、キャビネット１１の開口部１２上で第１グリル部３１と第２グリル部３２とを互いに接合すると、全体として一つのグリルユニット３０の縁部をなすことになる。
【００４５】
グリル管３３の入口端３５はキャビネット１１の上面に設けられた連結部材５０に着脱可能に結合されるように下向きに折り曲げられ、グリル管３３の出口端３６はフレーム３４の長手方向に配置されるので、出口端３６を介して排出される空気によりフレーム３４も部分的に冷却される。
【００４６】
図４に示すように、連結部材５０は上下方向に形成され、上向きに直径が拡張するテーパー孔５１を有し、キャビネット１１の上部に配置される。この連結部材５０は耐熱性に優れた材質のものから製造して、加熱ユニット１３から発生する熱に十分に耐えられるようにする。
【００４７】
前記テーパー孔５１の上端の直径はグリル管３３の外径より大きく、下端の直径はグリル管３３の外径より小さく形成される。また、テーパー孔５１の下端の直径は空冷ユニット４０の吐出管４２の外径とほぼ同一に形成される。
【００４８】
したがって、空冷ユニット４０の吐出管４２の出口端をテーパー孔５１の下端に締り嵌め又は溶接などの方式で固定的に結合させるか、又は吐出管４２を柔軟な材質のもので作り、その出口端をテーパー孔５１の下端に着脱可能に結合すると、吐出管４２が連結部材５０に連通される。
【００４９】
このような状態で、下向きに折り曲げられたグリル管３３の入口端３５がテーパー孔５１の上部に載せられると、各グリル部３１，３２の自重により入口端３５がテーパー孔５１の内周面に着脱可能に密着して連通する。
【００５０】
したがって、グリル管３３の入口端３５がテーパー孔５１に合わせられた状態で、第１及び第２グリル部３１，３２に分離されてなるグリルユニット３０をキャビネット１１の開口部１２上に載せると、連結部材５０によりグリル管３３が空冷ユニット４０の吐出管４２に連通される。
【００５１】
この状態で、グリルユニット３０上に調理物を載せ、加熱ユニット１３と空冷ユニット４０の送風ファン４１とを作動させると、グリル管３３内を空気が流動しながらグリル管３３を冷却させる。
【００５２】
したがって、グリル管３３が過熱しないので、調理物のグリル管３３に接触する部分が焼けなくなり、調理物がグリル管３３に焦げ付くことがなく、調理物のグリル管３３に接触しない部分は加熱ユニット１３の熱を受けるため、図５に示すように、グリル管３３間でグリルマークが生じる。
【００５３】
このように、グリル管３３が連結部材５０に着脱可能に連結された状態でグリル管３３が空冷ユニット４０により冷却されるので、調理物はグリル管３３から容易に離れ、グリル管３３に調理物の屑がくっ付かないので、調理後にグリルユニット３０を容易に掃除することができる。
【００５４】
次に、図６及び図７に基づいて本発明の第２実施例によるグリル調理器及び複合調理装置について説明する。
【００５５】
図６は本発明の第２実施例によるグリル調理器の斜視図、図７は図６のグリル調理器が設けられた複合調理装置の斜視図である。
【００５６】
同図に示すように、本発明の第２実施例によるグリル調理器１０ａは、第１及び第２グリル部３１，３２の連結部材５０に連結された空冷ユニット４０がキャビネット１１の下側面外部に設けられ、キャビネット１１の下側面から下向きに突出する。したがって、本発明の第２実施例によるグリル調理器１０ａと図７の複合調理装置７０に使用される他の方式の調理器（例えば、図７に示す調理器８０）は本発明の第１実施例のグリル調理器１０とは異なる。複合調理装置７０の上側面にはパワースイッチ１８が設けられる。第２実施例によるグリル調理器１０ａの一般的な形状は、空冷ユニット４０及びパワースイッチ１８の位置を除き、第１実施例のグリル調理器１０と同一である。したがって、グリル調理器１０と類似したグリル調理器１０ａの要素の説明は省く。
【００５７】
前記のようなグリル調理器１０ａを複合調理装置７０の上部に着脱可能に取り付けるため、複合調理装置７０の外観をなすハウジング７１の上部には、グリル調理器１０ａの大きさに形成され一定深さを有する凹部７２が設けられる。前記のような凹部７２はハウジング７１の上部に複数設けられるので、本実施例によるグリル調理器１０ａとともに他の方式の調理器８０を内蔵できる。
【００５８】
凹部７２の下部には、グリル調理器１０ａの空冷ユニット４０を収容するための収容部７３が形成され、前記収容部７３の一側面には、空冷ユニット４０に空気が吸入できるようにする通孔７４が形成される。したがって、グリル調理器１０ａをハウジング７１の上部から凹部７２に差し込むと、空冷ユニット４０が前記収容部７３に収容されるので、通孔７４を介して空気を吸入してグリルユニット３０を空冷させることになる。
【００５９】
このように、グリル調理器１０ａで調理物のグリル調理を行った後、グリル部材３０をキャビネット１１から取り外した後、キャビネット１１の両端を持って上向きに引き上げると、キャビネット１１が簡単に引き上げられて複合調理装置７０から分離されるので、グリル調理器１０ａを簡便に掃除することができる。
【図面の簡単な説明】
【００６０】
【図１】本発明の第１実施例によるグリル調理器の外観を示す斜視図である。
【図２】図１の線II−IIについての断面図である。
【図３】図１の空冷ユニットにより冷却されるグリルユニットの背面図である。
【図４】図３のグリルユニットを空冷ユニットに連結させる連結部材の構造を示すため、図２のＡ部を示す拡大断面図である。
【図５】図１のグリルユニットに載せられた調理物にグリルマークが生じた状態を示すグリルユニットの斜視図である。
【図６】本発明の第２実施例によるグリル調理器の斜視図である。
【図７】図６のグリル調理器が設けられる複合調理装置の斜視図である。
【符号の説明】
【００６１】
１０，１０ａ  グリル調理器
１３  加熱ユニット
３０  グリルユニット
３３  グリル管
３４  フレーム
３５  入口端
３６  出口端
４０  空冷ユニット
４１  送風ファン
４２  吐出管
５０  連結部材
５１  テーパー孔
７０  複合調理装置
７１  凹部
【図１】
2005081138.tif 000003
【図２】
2005081138.tif 000004
【図３】
2005081138.tif 000005
【図４】
2005081138.tif 000006
【図５】
2005081138.tif 000007
【図６】
2005081138.tif 000008
【図７】
2005081138.tif 000009